(57)【要約】【課題】組立て作業性が良く、原稿読取部からの放熱効率の優れた胴内排紙型の画像形成装置を提供することを目的とする。【解決手段】原稿読取部２の下方に位置する画像形成部３の上面の左後端部付近及び右後端部付近からそれぞれ上方に向かって設けられた後側垂直部材３１、３２の上部から原稿読取部２の前側に向かって張り渡され前部が連結部材６０にて連結された２本の前後張渡部材４０、５０に原稿読取部２を搭載し、前後張渡部材４０、５０の後端部から上方に向かって延出して設けられた延出片４２、５２によって原稿読取部２を後方から固定することを特徴とする画像形成装置１。【選択図】図１
2005173172.tif 000002
【特許請求の範囲】
【請求項１】
原稿の画像を読み取る原稿読取部と、
該原稿読取部の下方に位置し、該原稿読取部にて読み取られた画像を用紙に形成する画像形成部と、
該画像形成部の上面の左前端部付近若しくは右前端部付近の何れか一方から上方に向かって設けられる前側垂直部材と、
前記画像形成部の上面の左後端部付近及び右後端部付近からそれぞれ上方に向かって設けられる２本の後側垂直部材と、
前記原稿読取部を搭載するために、前記後側垂直部材の上部からそれぞれ前記画像形成部の前側に向かって張り渡される２本の前後張渡部材と、
前記前後張渡部材の後端部から上方に向かって延出して設けられ、前記原稿読取部を後方から固定するための固定手段を備えた延出片と、
前記前後張渡部材の前部を連結するとともに、前記前側垂直部材の上部に連結される連結部材と、
を備えることを特徴とする画像形成装置。
【請求項２】
前記原稿読取部と前記画像形成部との間に、該画像形成部にて画像が形成された用紙を排出し収容する排紙部が設けられることを特徴とする請求項１に記載の画像形成装置。
【請求項３】
前記連結部材に操作入力が行われる操作部が固定されることを特徴とする請求項１又は２に記載の画像形成装置。
【発明の詳細な説明】
【技術分野】
【０００１】
本発明は、画像形成装置、特に胴内排紙型の画像形成装置に関するものである。
【背景技術】
【０００２】
コピー機能、スキャナ機能、ファクシミリ機能等の機能を備えた画像形成装置においては、原稿の画像を走査してそれを画像データとして読み取る原稿読取部と、読み取った画像データを用紙に転写し画像を形成する画像形成部とを備え、画像が形成された用紙を排紙トレイ上に排出している。画像形成装置の占有面積を小さくするために、原稿読取部の下方に画像形成部を空間を隔てて設け、この空間内に排紙トレイを設ける胴内排紙型の画像形成装置が提案されている。
【０００３】
従来の胴内排紙型の画像形成装置においては、画像形成部の上面から壁体や支柱を上方に向けて設け、その上に原稿読取部を搭載するための天板を固定し、この天板を通じて前記壁体や支柱と原稿読取部とを固定することにより、組立て作業を行っていた（例えば、特許文献１参照）。
【特許文献１】特開平１１−１４３２５５号公報
【発明の開示】
【発明が解決しようとする課題】
【０００４】
しかしながら、上記天板を通じて組立て作業を行う方法においては、原稿読取部と天板との固定は、天板の下方から行う必要があり、作業性が悪いという問題があった。又、原稿読取部を天板に搭載しているので、原稿読取部からの放熱が天板によって妨げられるという問題があった。
【０００５】
本発明は、上記した事情や問題に鑑みてなされたものであり、組立て作業性が良く、原稿読取部からの放熱効率の優れた胴内排紙型の画像形成装置を提供することを目的とする。
【課題を解決するための手段】
【０００６】
当該目的を達成するために、請求項１に記載の画像形成装置は、原稿の画像を読み取る原稿読取部と、該原稿読取部の下方に位置し、該原稿読取部にて読み取られた画像を用紙に形成する画像形成部と、該画像形成部の上面の左前端部付近若しくは右前端部付近の何れか一方から上方に向かって設けられる前側垂直部材と、前記画像形成部の上面の左後端部付近及び右後端部付近からそれぞれ上方に向かって設けられる２本の後側垂直部材と、前記原稿読取部を搭載するために、前記後側垂直部材の上部からそれぞれ前記画像形成部の前側に向かって張り渡される２本の前後張渡部材と、前記前後張渡部材の後端部から上方に向かって延出して設けられ、前記原稿読取部を後方から固定するための固定手段を備えた延出片と、前記前後張渡部材の前部を連結するとともに、前記前側垂直部材の上部に連結される連結部材と、を備えることを特徴としている。
【０００７】
請求項２に記載の画像形成装置は、請求項１に記載の画像形成装置において、前記原稿読取部と前記画像形成部との間に、該画像形成部にて画像が形成された用紙を排出し収容する排紙部が設けられることを特徴としている。
【０００８】
請求項３に記載の画像形成装置は、請求項１又は２に記載の画像形成装置において、前記連結部材に操作入力が行われる操作部が固定されることを特徴としている。
【発明の効果】
【０００９】
請求項１に記載の画像形成装置によれば、原稿読取部の下方に位置する画像形成部の上面の左後端部付近及び右後端部付近からそれぞれ上方に向かって設けられた後側垂直部材の上部から画像形成部の前側に向かって張り渡された２本の前後張渡部材に、原稿読取部が搭載されている。従って、原稿読取部は、その底部を全面又は概全面に渡って塞ぐ天板等の上に搭載されておらず、その底部の左右のみが前後張渡部材によって塞がれているので、原稿読取部からの放熱効率を向上することができる。又、前後張渡部材の後端部から上方に向かって延出して設けられた延出片が、原稿読取部を後方から固定するための固定手段を備えているので、原稿読取部を後方から固定することができ、原稿読取部を下方から固定する必要をなくすことができるため、組立て作業性を向上することができる。
【００１０】
更に、前後張渡部材の前部を連結する連結部材を備えているので、強度の優れた画像形成装置を得ることができる。従って、例えば、原稿供給部を伴った原稿押圧板の開閉動作によって、前後張渡部材などの部材が歪まないように構成することができるので、原稿読取部において原稿の画像を読み取る際の原稿押圧板の開閉動作による読み取り品位の低下を防止することができる。又、画像形成部の上面の左前端部付近若しくは右前端部付近の何れか一方にしか前側垂直部材から設けていないので、原稿読取部と画像形成部との間の左前端部付近若しくは右前端部付近の何れか一方を開放空間とすることができる。従って、例えば、原稿読取部と画像形成部原稿との間に排紙部が設けられている場合には、使用者は排出された用紙の取出しや確認を容易に行うことができる。
【００１１】
請求項２に記載の画像形成装置によれば、原稿読取部と画像形成部との間に排紙部が設けられるので、画像形成装置の占有面積を小さくすることができる。
【００１２】
請求項３に記載の画像形成装置によれば、連結部材に操作部が固定されるので、前後張渡部材の延出片に固定される原稿読取部と操作部とを、一体化とせずに分離することができる。従って、故障等によって原稿読取部若しくは操作部を交換する必要がある場合には、故障等した方のみを交換すればよいので、交換コストを削減することができる。
【発明を実施するための最良の形態】
【００１３】
組立て作業性が良く、原稿読取部からの放熱効率の優れた胴内排紙型の画像形成装置を提供するという目的を、原稿読取部の下方に位置する画像形成部の上面の左後端部付近及び右後端部付近からそれぞれ上方に向かって設けられた後側垂直部材の上端部から原稿読取部の前側に向かって張り渡され前部が連結部材にて連結された２本の前後張渡部材に原稿読取部を搭載し、前後張渡部材の後部から上方に向かって延出して設けられた延出片に備えられた固定手段によって原稿読取部を後方から固定することにより実現した。
【００１４】
以下、本発明を実施するための最良の形態に係る画像形成装置について図面に基づいて説明する。該画像形成装置１は、例えばコピー機能、スキャナ機能、ファクシミリ機能、プリンタ機能等を有した複合機であり、図１及び図２に示すように、原稿読取部２の下方に画像形成部３を空間を隔てて設け、この空間内に排紙部４を設けている胴内排紙型の画像形成装置１である。ここで、原稿読取部２は、原稿９の画像を走査してそれを画像データとして読み取る。画像形成部３は、原稿読取部２で読み取られた画像データやファクシミリ受信した画像データ等の画像を用紙１０上に記録する。排紙部４は、画像が記録された用紙１０を排出し収納する。
【００１５】
画像形成装置１は、更に、使用者が動作指示や設定等の入力を行なうための各種操作キーを有して構成される操作部５、用紙１０を収容するともに用紙１０を画像形成部３に給紙する用紙供給部６、読み取り位置に原稿９を自動的に搬送する自動原稿供給部７をも備えている。なお、以下の説明において、図１に示すように、前側とは画像形成装置１における操作部５が位置する側を意味し、右側とは前方から画像形成装置１に向かって右側、即ち図２における右側を意味するものとする。
【００１６】
原稿読取部２は、図２に示すように、原稿９の画像を走査してそれを画像データとして読み取る読取デバイス１１を有する。ここで、読取デバイス１１は、原稿９の画像を走査してそれを画像データとして読み取る装置であって、コピー機やファクシミリ装置等において一般的に用いられるものを使用することができ、具体的には、ＣＣＤを用いた電荷結合形イメージセンサ、あるいは密着形イメージセンサ等を使用することができる。そして、この読取デバイス１１は、自動原稿供給部７により搬送される原稿９の画像を走査するために、自動原稿供給部７による原稿９の読み取り位置であるプラテンガラス１２の下方に配置されており、このプラテンガラス１２上に搬送される原稿９の画像を下方から走査する。又、この読取デバイス１１は、水平方向に移動可能に設けられており、プラテンガラス１２に隣接して配置されている原稿載置板１３の下方において水平方向に移動しつつ、この原稿載置板１３上に載置され原稿押圧板１４に押えられる原稿９の画像の走査をも行う。
【００１７】
画像形成部３は、用紙１０に画像を形成する部分である。ここでは、画像形成部３は、その画像形成方式として電子写真方式を用いており、感光体ドラム１５を含む電子写真方式の各種機構を有して構成されている。なお、画像形成部３の画像形成方式としては、これに限定されるものではなく、例えば、インクジェット記録方式や感熱記録方式等のこの分野で公知の各種の記録方式を用いることができる。画像形成部３は、用紙供給部６から搬送された用紙１０を、感光体ドラム１５を含む各種機構を介して排出部４へ搬送するための複数の搬送ローラ１６を備えている。
【００１８】
排紙部４は、画像形成部３にて画像が形成された用紙１０を排出し、収容する部分である。排紙部４は、画像形成部３から搬送された画像が形成された用紙１０を排出する排紙ローラ１７等を備える排紙機構１８と、排出された用紙１０を収容する排紙トレイ１９とを有して構成されている。
【００１９】
操作部５は、図１に示すように、使用者が動作指示や設定等の入力を行なうための各種操作キーや動作や設定等を表示するための表示パネルを備えた操作パネル２６と、下面及び側面を構成するととともに取付用の雌ねじ２７を備えた下側カバー２８と、スピーカ等の図示しない各種部品を有して構成されている。
【００２０】
用紙供給部６は、図２に示すように、所定サイズの用紙１０を収納するとともに、その用紙１０を画像形成部３に供給する部分であり、画像形成部３の直下に設けられている。用紙供給部６は、用紙１０を収納する複数段からなる用紙カセット２０と、この用紙カセット２０から用紙１０を１枚分離して取り出すピックアップローラ２１と、用紙１０を画像形成部３に搬送する複数の搬送ローラ２２とを有して構成されている。
【００２１】
自動原稿供給部７は、読取デバイス１１による読み取り位置であるプラテンガラス１２上に原稿９を自動的に搬送する部分であり、画像読取部２に開閉可能に取り付けられている。読み取り前の原稿９が載置される原稿載置トレー２３と、この原稿載置トレー２３上に載置された原稿９を１枚ずつ分離して搬送する搬送機構２４と、画像を読み取った後に排出された原稿９が収容される原稿排出トレー２５とを有して構成されている。
【００２２】
次に、本画像形成装置１を組み付けるための構成について説明する。図１に示すように、画像形成部３の上面に設けられた前側垂直部材３０と２本の後側垂直部材３１、３２が支柱となり、これら前側垂直部材３０及び後側垂直部材３１、３２の上に、２本の前後張渡部材４０、５０と連結部材６０とが位置している。原稿読取部２は、前後張渡部材４０、５０に搭載されるとともに、前後張渡部材４０、５０及び連結部材６０に固定されている。操作部５は、複数の操作部取付部材７０を介して連結部材６０に固定されている。
【００２３】
前側垂直部材３０は、画像形成部３の上面の右前端部付近から上方に向かって設けられている。一方、後側垂直部材３１、３２は、画像形成部３の上面の右後端部付近及び左後端部付近から上方に向かってそれぞれ設けられている。これら前側垂直部材３０や後側垂直部材３１、３２は、金属薄板を折曲げ等の成形加工したものであってもよいし、樹脂成形等による柱状のものであってもよい。又、前側垂直部材３０や後側垂直部材３１、３２は、画像形成部３に対して、ビス等の固定具にて接続固定してもよいし、画像形成部３のフレーム等と一体化して設けてもよい。又、前側垂直部材３０及び右側の後側垂直部材３１は、前記排紙機構１８を設けるためのフレーム等の一部であってもよい。なお、前側垂直部材３０の上端面には、ビス等の固定具８０により連結部材６０を固定するための雌ねじ３３が設けられている。後側垂直部材３１、３２の上端面には、ビス等の固定具８０により前後張渡部材４０、５０を固定するための雌ねじ３４、３５がそれぞれ設けられている。
【００２４】
前後張渡部材４０、５０は、原稿読取部２をその上に搭載するものであり、後側垂直部材３１、３２の上端部から画像形成部３の前側に向かってそれぞれ張り渡されるように設けられている。これら前後張渡部材４０、５０は、薄厚の部材であり、金属板を折曲げ等の成形加工したものであってもよいし、樹脂を成形加工したものであってもよい。前後張渡部材４０、５０は、後側垂直部材３１、３２から画像形成部３の前側に向かってそれぞれ張り渡された前後張渡片４１、５１と、これら前後張渡片４１、５１の後端部から上方に向かって延出する延出片４２、５２とをそれぞれ有している。前後張渡片４１、５１の後側には、ビス等の固定具８０を介して後側垂直部材３１、３２に固定するための貫通孔４３、５３がそれぞれ設けられている。又、前後張渡片４１、５１の前側には、ビス等の固定具８０により連結部材６０を固定するための雌ねじ４４、５４がそれぞれ設けられている。延出片４２、５２の中央付近には、ビス等の固定具８０を介して原稿読取部２を固定するための固定手段である貫通孔４５、５５がそれぞれ設けられている。
【００２５】
連結部材６０は、前後張渡部材４０、５０の前部同士を連結するように設けられている。連結部材６０は、薄厚の部材であり、金属板を折曲げ及び接合等の成形加工したものであってもよいし、樹脂を成形加工したものであってもよい。連結部材６０は、図３に示すように、前後張渡部材４０、５０の前部同士を連結する連結片６１と、この連結片６１の前側端部から上方に向かって延出する上方延出片６２と、この上方延出片６２の前側端部の一部から前方に向かって延出する前方延出片６３と、連結片６１の上に載置して設けられる断面横Ｌ字状の載置片６４とを有している。なお、連結片６１には、ビス等の固定具８０を介して前後張渡部材４０、５０に固定するための貫通孔６５がそれぞれ設けられている。上方延出片６２には、ビス等の固定具８０により操作部５を操作部係止部材７０を介して固定するための雌ねじ６６が複数設けられている。前方延出片６３には、ビス等の固定具８０により前側垂直部材３０を固定するための貫通孔６７が設けられている。載置片６４には、連結片６１の上面と平行な面に、ビス等の固定具８０により原稿読取部２を固定するための雌ねじ６８が設けられている。
【００２６】
原稿読取部２は、前記読取デバイス１１等を内部に有し箱型の外形を備えるものである。原稿読取部２の前面には、ビス等の固定具８０により連結部材６０に固定するために、断面Ｌ字状の取付片８１を備えている。この取付片８１の前方に延出する片には、貫通孔８２が設けられている。原稿読取部２の後面には、図４に示すように、ビス等の固定具８０により前後張渡部材４０、５０に固定するための雌ねじ８３が設けられている。
【００２７】
操作部取付部材７０は、操作部５を連結部材６０を介して原稿読取部２に取り付けるための部材である。操作部取付部材７０は、薄厚金属板を折曲げ等の成形加工により形成したものであっても、樹脂を成形加工したものであってもよい。操作部取付部材７０は、操作部５の下側カバー２８の側面と平行な面を備える主片７１と、この主片７１の後側端面から左右何れかの方向に向かって延出する第１延出片７２と、主片７１の下側端面から左右何れかの方向に向かって延出する第２延出片７３とを備えている。なお、第１延出片７２の中央付近には、ビス等の固定具８０を介して原稿読取部２に固定するための貫通孔７４が設けられている。第２延出片７３の中央付近には、ビス等の固定具８０を介して下側カバー２８を固定するための貫通孔７５が設けられている。
【００２８】
以下、画像形成装置１の原稿読取部２や操作部５などを組み付ける手順について、図面を参照しながら説明する。まず、画像形成部３の上面に設けられた後側垂直部材３１、３２の上端面の雌ねじ３４、３５に、前後張渡部材４０、５０の後側の貫通孔４３、５３を介して、ビス等の固定具８０を用いて、後側垂直部材３１、３２の上に前後張渡部材４０、５０を固定する。
【００２９】
次に、前後張渡部材４０、５０の前側の雌ねじ４４、５４に、連結部材６０の連結片６１の貫通孔６５を介し、ビス等の固定具８０を用いて、前後張渡部材４０、５０の前部同士を連結部材６０により連結し固定する。これとともに、画像形成部３の上面に設けられた前側垂直部材３０の上端面の雌ねじ３３に、前方延出片６３の貫通孔６７を介し、ビス等の固定具８０を用いて、連結部材６０を前側垂直部材３０に固定する。
【００３０】
次に、原稿読取部２を前後張渡部材４０、５０の前後張渡片４１、５１の上に図中矢印にて示すように搭載する。更に、図４に示すように、原稿読取部２の後面の雌ねじ８３に、前後張渡部材４０、５０の延出片４２、５２の貫通孔４５、５５を介して、ビス等の固定具８０を用いて、原稿読取部２を前後張渡部材４０、５０に固定する。これとともに、図３に示す連結部材６０の載置片６４の雌ねじ６８に、原稿読取部２の前面に備えた取付片８１の貫通孔８２を介し、ビス等の固定具８０を用いて、原稿読取部２を連結部材６０に固定する。これらの固定後若しくは固定前に、必要であれば原稿読取部２からの他部への所定の電気的連結を行う。
【００３１】
更に、連結部材６０の上方延出片６２の雌ねじ６６に、操作部取付部材７０の第１延出片７２の貫通孔７４を介して、ビス等の固定具８０を用いて、連結部材６０に操作部取付部材７０を固定する。次に、下側カバー２８の雌ねじ６７に、操作部取付部材７０の第２延出片７３の貫通孔７５を介して、ビス等の固定具８０を用いて、操作部取付部材７０に下側カバー２８を固定する。なお、下側カバー２８には、前側垂直部材３０との干渉防止のために、切欠２９が設けられている。次に、操作部５の操作パネル２６等の各種部品の所定の機械的及び電気的連結を行う。最後に、自動原稿供給部７の機械的及び電気的な連結行い、画像形成装置１の組立てが完了する。以上のように、ビス等の固定具８０の固定は全て上方から又は前後方向であり、下方から固定する必要がないので、作業性が良い。
【００３２】
以上、本発明を実施するための最良の形態に係る画像形成装置１について説明したが、これに限られるものではない。例えば、前後張渡部材４０、５０と連結部材６０とを一体化してコ字形の部材としてもよい。又、前側垂直部材３０を連結部材６０に固定するのではなく、前側張渡部材４０に固定してもよい。又、画像形成部３の上面前部の右側に前側垂直部材３０を設けるのではなく、左側に前側垂直部材を設けてもよい。
【産業上の利用可能性】
【００３３】
画像形成装置において、胴内排紙型など各部の間に空間を介して構成するもの等に適用することが可能である。
【図面の簡単な説明】
【００３４】
【図１】本発明の実施例に係る画像形成装置を示す分解斜視図である。
【図２】図１に示した画像形成装置の概略断面図である。
【図３】図１に示した画像形成装置の連結部材を示す斜視図である。
【図４】図１に示した画像形成装置の一部を後側から見た状態を示す分解斜視図である。
【符号の説明】
【００３５】
１  画像形成装置
２  原稿読取部
３  画像形成部
４  排紙部
５  操作部
１０  用紙
３０  前側垂直部材
３１、３２  後側垂直部材
４０、５０  前後張渡部材
４２、５２  延出片
４５、５５  貫通孔（固定手段）
６０  連結部材
【図１】
2005173172.tif 000003
【図２】
2005173172.tif 000004
【図３】
2005173172.tif 000005
【図４】
2005173172.tif 000006